(57)【特許請求の範囲】
【請求項１】
アームに固定されるブッシュと、ブッシュに回動可能に嵌挿される軸部と軸部の上端に形成されブッシュの上端に摺接支持される腕部とからなる上飾りクランクと、前記軸部の下端に取着されるスプレッダと、ブッシュの下端に固定され前記軸部に当接するオイルシールとを備え、主軸の回転に連動して前記腕部が揺動運動を行うとともに前記軸部が軸周りに回動運動を行い、軸部に取着されるスプレッダが針の手前側で揺動運動を行い、潤滑油をアーム内に供給する給油機構を備えたミシンの飾り振り機構において、前記腕部の上面に当接し上飾りクランクが上方向へ移動するのを規制する規制部材をアーム内に備えることを特徴とするミシンの飾り振り機構。
【発明の詳細な説明】
【技術分野】
【０００１】
本発明は布地に上飾り縫い目を形成するミシンの飾り振り機構に関するものである。
【背景技術】
【０００２】
上飾り縫い目を形成する上飾り縫いミシンにおいて、アームの先端部にスプレッダ機構（飾り振り機構）を備えたものが従来より知られている（例えば、特許文献１参照）。
文献１のスプレッダ機構８０は、スプレッダを下端部で保持する縦軸８１（軸部）と、縦軸８１を上下方向を中心として回動可能に支持するメタル軸受け８２（ブッシュ）と、上軸から揺動駆動力が伝達されるスプレッダ駆動軸８３（回動軸）と、このスプレッダ駆動軸８３の先端部に上端部が回動自在に連結されるスプレッダクランクロッド８４（クランク腕）と、スプレッダクランクロッド８４の下端部に揺動自在に連結されるとともに縦軸８１の上端部に連結される腕部材８５（腕部）とを備えている（図９参照）。そして、このような構成により、スプレッダ駆動軸８３の揺動駆動によりスプレッダ駆動軸８３を中心としてスプレッダクランクロッド８４が揺動動作を行い、この揺動駆動力が腕部材８５、縦軸８１に伝達されてスプレッダが揺動動作を行う。
なお、ミシンの各機構における摺動部分には縫製速度の高速化に伴い潤滑油の供給が必要であり、上記スプレッダ機構にも公知の給油機構により潤滑油の供給がなされている。
【０００３】
上記スプレッダ機構８０の構成において、縦軸８１の上下位置を規制するため、従来一般には図４に示すようなカラー４４を縦軸８１に取着し、腕部材８５とカラー４４でメタル軸受け８２を挟持させるようにしてある。このような構造により、縦軸８１に固定され軸周りの揺動を行うスプレッダの縫製時における上下動を規制し、安定した縫製を形成することができる。
【０００４】
上述のように、上記スプレッダ機構８０には潤滑油が供給されるが、ミシンフレーム８６（アーム）下方から一部が突出する縦軸８１を通じて潤滑油がミシンフレーム８６外に漏洩するのを防止するため、縦軸８１にオイルシールを設けたものが従来知られている（例えば、特許文献２参照）。オイルシールはメタル軸受けの下端部に保持され、オイルシールのシール部は縦軸８１の外周をシールするようになされており、縦軸８１に付着した潤滑油がオイルシールの下方に滲出しないようにされている。
【先行技術文献】
【特許文献】
【０００５】
【特許文献１】特開２００６−１３００４４号公報
【特許文献２】特開２００５−２７８４５号公報
【発明の概要】
【発明が解決しようとする課題】
【０００６】
ところが、上記従来技術を組み合わせたスプレッダ機構の場合、縦軸に付着した潤滑油はカラーの上方に位置するオイルシールでシールされるため、メタル軸受け下端とカラー上面が無給油状態で摺接することになり、この摺接部分に大きな摩擦熱が生じる恐れがある。そして発熱の程度が大きいと、上記摺接部分に近接するオイルシールが熱で破損し、縦軸に対するシール性が低下、つまり縦軸を通じて油漏れを生じることがあった。
【０００７】
本発明は上記の問題を解決するためになされたものであり、その目的とするところは、メタル軸受けの異常発熱によるオイルシールの破損およびそれに伴う縦軸からの油漏れを防止できる、ミシンの飾り振り機構を提供することになる。
【課題を解決するための手段】
【０００８】
上記課題を解決するために、本発明のミシンの飾り振り機構は、アームに固定されるブッシュと、ブッシュに回動可能に嵌挿される軸部と軸部の上端に形成されブッシュの上端に摺接支持される腕部とからなる上飾りクランクと、前記軸部の下端に取着されるスプレッダと、ブッシュの下端に固定され前記軸部に当接するオイルシールとを備え、主軸の回転に連動して前記腕部が揺動運動を行うとともに前記軸部が軸周りに回動運動を行い、軸部に取着されるスプレッダが針の手前側で揺動運動を行い、潤滑油をアーム内に供給する給油機構を備えたミシンの飾り振り機構において、前記腕部の上面に当接し上飾りクランクが上方向へ移動するのを規制する規制部材をアーム内に備えることを特徴とする。
【発明の効果】
【０００９】
本発明によれば、ミシンの飾り振り機構において、腕部の上端に当接する規制部材を設けることにより上飾りクランクの上下位置を規制でき、軸部に固定されるカラーをブッシュの下端と摺動することなく設けることができる。すなわち、オイルシールより下方において、ブッシュの下端とカラーの上面が摺動することがないため、ブッシュの異常発熱によるオイルシールの破損およびそれに伴う縦軸からの油漏れを防止できる。
【図面の簡単な説明】
【００１０】
【図１】本発明を適用した第１実施形態における上飾り縫いミシンの一部破断正面図である。
【図２】同ミシンの一部破断左側面図である。
【図３】押え機構の分解斜視図である。
【図４】飾り振り機構の分解斜視図である。
【図５】同ミシンの要部を示す（ａ）左側面断面図，（ｂ）正面断面図である。
【図６】本発明の第２実施形態におけるミシンの要部を示す（ａ）左側面断面図，（ｂ）正面断面図である。
【図７】同ミシンの規制部材にバネを装着した要部を示す（ａ）左側面断面図，（ｂ）正面断面図である。
【図８】同ミシンの上飾りクランクが上昇した要部を示す（ａ）左側面断面図，（ｂ）正面断面図である。
【図９】従来例の飾り振り機構を備えた上飾り縫いミシンの正面断面図である。
【発明を実施するための形態】
【００１１】
以下、本発明の好適な第１実施形態を図面に基づいて説明する。
【００１２】
図１に示すように、本発明に係るミシンは、ミシンの下部に位置するベッド１と、ベッド１から立設された脚部２と、脚部２の上部からベッド１と同じ方向に沿って延設されたアーム３とからなる。ベッド１には下軸４が回転可能に支持され、下軸４にはモータ（図示しない）が連結されている。アーム３には下軸４と平行になるよう上軸５が回転可能に支持され、下軸４と上軸５はタイミングベルト６によって連結されている。下軸４および上軸５はモータの駆動に連動して同一方向に回転する。
【００１３】
アーム３の先端部には上軸５の回転に連動する針棒機構Ａが備えられている。上軸５の一端にクランク１３がネジ１４で固定されている。クランク１３にはピン（図示せず）の一端が挿通され、ピンの他端は針棒クランクロッド１５に形成される上筒部１５ａに挿通されている。針棒クランクロッド１５に形成される下筒部１５ｂには、針棒１１にネジ１７で固定される針棒抱き１６のピン部１６ａが挿通されている。針棒１１はアーム３に固定されたブッシュ１０に上下動可能に嵌挿され、その下端部には針留９および針１２を備える。上述した針棒機構Ａの構成により、上軸５の回転に連動して針１２は上下動する。
【００１４】
図２，図３に示すように、針棒１１の後方には押え機構Ｂが備えられている。押え棒２１がアーム３に固定されたブッシュ２２に上下動可能に嵌挿されている。ブッシュ２２の下端にはオイルシール３７が固定されており、オイルシール３７は押え棒２１に当接する。押え棒２１の下端には押え２３がネジ２０で固定されている。押え２３は針板上に載置された布地を上方から付勢し、押え上げレバー２５の操作により、押え２３および押え棒２１は上下動する。押え上げレバー２５の一端はネジ１８でアーム３に回動自在に固定されている。押え上げレバー２５の長手方向の中央近傍には、フック１９の一端が連結されている。フック１９の他端にはレバー２４の一端が連結されている。レバー２４の他端上部には溝部２４ａが形成されており、溝部２４ａにはカラー３８に形成される爪部３８ａが嵌合する。レバー２４の他端およびカラー３８には回転軸２６が挿通され、回転軸２６はカラー３８にネジ３８ｂで固定されている。回転軸２６は押え上げレバー２５の操作により軸周りに回転する。回転軸２６の端部には第１リンク３６の基部が固定され、第１リンク３６の端部には第２リンク２７の一端が段付きネジ２９で回動可能に連結されている。第２リンク２７の他端には第２リンク２７の長手方向に長い長穴２７ａが設けられ、この長穴２７ａを介して段付きネジ３０が押え棒抱き２８に固定されており、第２リンク２７は押え棒抱き２８に対し長穴２７ａの範囲で移動かつ回動可能に連結されている。押さえ棒抱き２８は押え棒２１の中途にネジ３１で固定されている。押え棒抱き２８には一部が後方に延設している延設部２８ａが形成されている。押え棒抱き２８の後方において、押え案内３３がアーム３にネジ３２，３２で固定されている。押え案内３３の形状は略直方体であり、押え案内３３には前後方向および下方向に開放された溝部３３ａが形成されている。この溝部３３ａには押え棒抱き２８の延設部２８ａが上下のスライド可能に嵌入されており、押え棒２１の上下動に応じて延設部２８ａは溝部３３ａ内を上下に案内される。押え案内３３の左端面には規制部材３４がネジ３５，３５で取着されている。規制部材３４の取り付け位置は、上下に長尺の長穴３４ｃ，３４ｃの範囲で上下位置の調節可能とされている。規制部材３４の下部には水平に延びるストッパー部３４ｂが設けられ、ストッパー部３４ｂは押え案内３３の溝部３３ａの下方に配置されるようにしてあり、押え案内３３およびストッパー部３４ｂにより押え棒抱き２８の上下動の範囲が規制される（図５参照）。
【００１５】
次に、給油機構Ｃについて説明する。ベッド１内には下軸４がフレームに回転可能に支持されており、図１に示すように、下軸４にはウォーム５４がネジ５５で固定されている。ポンプ５６は公知のトロコイドポンプであり、ボディを形成するケーシング５７がベッド１のフレームにネジ５８で固定されている。ポンプ軸５９は下軸４と直交して配置され、軸周りの回転可能にケーシング５７に支持されている。ポンプ軸５９の上部はケーシング５７より突出しており、突出した部分にはウォームホイール６０がネジ６１，６１で固定されている。ウォーム５４とウォームホイール６０は係合しており、下軸４の回転に連動してウォーム５４，ウォームホイール６０，ポンプ軸５９が回転すると、公知のポンプ作用によりオイルパン６４の潤滑油がポンプ５６に取り込まれ、一端がポンプ５６に接続されている輸送チューブ６２によりアーム３の先端部へと輸送される。輸送チューブ６２の他端には吐出管６３が接続され、吐出管６３は針棒クランクロッド１５の上方に開口するようにアーム３のフレームに固定配置されている。アーム３の先端部に輸送された潤滑油は吐出管６３の開口より下方に向けて吐出され、針棒クランクロッド１５の上部において潤滑油を受けることとなる。針棒クランクロッド１５の上下運動によって針棒クランクロッド１５が受けた潤滑油はアーム３の先端部内で飛散され、アーム３の先端部内に配置される各機構へ潤滑油が供給されることとなる。
【００１６】
次に、飾り振り機構Ｄについて説明する。押え棒２１の後方には、図４に示す飾り振り機構Ｄが備えられている。上飾りクランク３９に形成される軸部３９ｂはアーム３に固定されたブッシュ４０に軸周りの回動可能に嵌挿されている。ブッシュ４０の下端にはオイルシール４６が固定されており、オイルシール４６は軸部３９ｂに当接する。この軸部３９ｂの上端には腕部３９ａが形成され、腕部３９ａはブッシュ４０の上端に摺接支持されている。腕部３９ａの基端上面には、規制部材３４のストッパー部３４ｂから下方に延設される係止部３４ａが配置され、係止部３４ａの下端は腕部３９ａの基端上面に当接している（図５参照）。つまり、腕部３９ａは軸部３９ｂの軸周りの揺動可能に係止部３４ａの下端とブッシュ４０の上面とで挟持されている。腕部３９ａの先端には円柱状のピン部３９ｃが上方に延びて形成されている。回動軸４９は上軸５と平行に配置され、アーム３に軸周りの揺動可能に支持されている。そして、回動軸４９は上軸５と図示しない公知の連結機構で連結され、上軸５の一方向回転に連動して軸周りに揺動する。回動軸４９の一端にはクランク腕４８の基端である上筒部４８ａがねじ５０で固定されている。クランク腕４８の他端には円筒状の下筒部４８ｂが形成されている。クランク腕４８の下筒部４８ｂには、水平左右方向に貫通する貫通穴４８ｄと、下筒４８ｂの下面を上下に貫通するピン挿入孔４８ｃが設けられている。円柱状の駒４７は下筒部４８ｂの貫通孔４８ｄに軸周りの揺動可能に嵌挿されている。駒４７には軸心を通り軸線と直交する方向に貫通する貫通穴４７ａが形成されている。上飾りクランク３９のピン部３９ｃはクランク腕４８のピン挿入孔４８ｃを貫通して貫通穴４７ａに駒４７の上下動可能に挿通されている。
【００１７】
上飾りクランク３９の軸部３９ｂの下端には上飾りレバー４１の基端がネジ４２で固定されており、上飾りレバー４１の先端にはスプレッダ４３がネジ５１により取着されている。上飾りレバー４１の上方にはカラー４４が軸部３９ｂにネジ４５，４５で固定されている。ブッシュ４０とカラー４４との間には任意の隙間が設けられ、カラー４４下面と上飾りレバー４１の基端上面とが当接するようにしてカラー４４の高さ方向位置は設定されている（図２参照）。したがって、上飾り糸を使用しない等の理由で上飾りレバー４１を取り外し再度上飾りレバー４１を取り付ける際に、上飾りレバー４１の基端上面をカラー４４の下面に当接させることで、上飾りレバー４１の高さ方向位置の調節を容易に行うことができる。
【００１８】
上記の様に構成された飾り振り機構Ｄの動作を説明する。上軸５の回動に連動して回動軸４９が揺動すると、回動軸４９に取着のクランク腕４８は回動軸４９の軸周りに揺動する。クランク腕４８の揺動はクランク腕４８の貫通穴４８ｄに嵌挿された駒４７を介して上飾りクランク３９の腕部３９ａに伝達される。そして上飾りクランク３９は軸部３９ｂの軸周りに揺動し、上飾りレバー４１に取着のスプレッダ４３は針１２の手前側で左右に揺動する。
【００１９】
本発明は、上記のような上飾り縫いミシンの飾り振り機構Ｄにおいて、図５に示すように、規制部材３４にストッパー部３４ｂの一端にて下方へ延設している係止部３４ａを設け、この係止部３４ａの下端が上飾りクランク３９の腕部３９ａの上面に当接していることを特徴とする。本発明によれば、規制部材３４の係止部３４ａによって上飾りクランク３９の上方向への移動は規制される。
【００２０】
なお、本発明は上記の第１実施形態に限定されるものではない。次に本発明に係る第２実施形態を第１実施形態とは相違する点のみ図面に基づいて説明する。
【００２１】
図６に示すように、押え案内３３には規制部材６７がネジ３５，３５で固定されている。規制部材６７に形成されるネジ穴は上下に長い長穴になっており、規制部材６７の上下位置は調節可能となっている。規制部材６７の下部には水平に延びるストッパー部６７ｂが設けられ、ストッパー部６７ｂは押え案内３３の溝部３３ａの下方に配置されるようにしてあり、押え案内３３およびストッパー部６７ｂにより押え棒抱き２８の上下動の範囲が規制される。規制部材６７には、ストッパー部６７ｂから下方に延設される係止部６７ａが設けられており、係止部６７ａは上飾りクランク３９の腕部３９ａの上方に配置されている。この係止部６７ａの下端部から上飾りクランク３９の腕部３９ａ上面までには任意の隙間が設けられており、上飾りクランク３９は軸部３９ｂの軸周りに回動可能かつ前記の隙間の範囲で上下動可能にブッシュ４０に嵌挿されている。係止部６７ａにはバネ６８が装着され（図７参照）、バネ６８の上端は規制部材６７のストッパー部６７ｂの下面に、バネ６８下端は上飾りクランク３９の腕部３９ａの上面にそれぞれ当接している。そして、上飾りクランク３９の上方向の移動はバネ６８の弾性力の範囲で規制されている。押え棒２１の中途には、上飾り上げ部材６９の基端がネジ７０で固定されている。上飾り上げ部材６９の先端である係合部６９ａは前記上飾り上げ部材６９の基端より後方に延びて設けられ、押え機構Ｂが動作しない状態において、係合部６９ａは上飾りクランク３９の腕部３９ａの下方に該腕部３９ａと隙間をもって配置されている。
【００２２】
押え上げレバー２５の操作に連動し押さえ棒２１が上昇すると、それに付随して上飾り上げ部材６９も上昇する。上飾り上げ部材６９の係合部６９ａの上面から上飾りクランク３９の腕部３９ａ下面までの隙間分、上飾り上げ部材６９が上昇すると、係合部６９ａの上面が腕部３９ａの下面と係合する。その後も押え棒２１が上昇すると、係合部６９ａが腕部３９ａを支持し、上飾りクランク３９が上飾り上げ部材６９とともに上昇する（図８参照）。すなわち、上飾りクランク３９の軸部３９ｂに固定されている上飾りレバー４１および上飾りレバー４１に取着されているスプレッダ４３も上昇することになる。押え上げレバー２５の操作を終了すなわち押え棒２１が下降すると、上飾り上げ部材６９の係合部６９ａの下降に伴い上飾りクランク３９もバネ６８の弾性力により下降し、腕部３９ａの下面がブッシュ４０の上端に支持される。上飾りクランク３９は、規制部材６７の係止部６７ａの下端部から上飾りクランク３９の腕部３９ａ上面までの隙間分だけ上昇可能であり、その上昇量は係止部６７ａの下端部から腕部３９ａ上面までの隙間に応じて任意に変更できる。すなわち、上飾りクランク３９の軸部３９ｂに固定されている上飾りレバー４１および上飾りレバー４１に取着されているスプレッダ４３は、規制部材６７の係止部６７ａと上飾りクランク３９の腕部３９ａとの隙間に応じて任意に上昇量を設定できる。
【符号の説明】
【００２３】
１      ベッド
２      脚部
３      アーム
４      下軸
５      上軸
６      タイミングベルト
１１    針棒
１２    針
１５    針棒クランクロッド
１６    針棒抱き
２１    押え棒
２３    押え
２４    レバー
２５    押え上げレバー
２６    回転軸
２７    第２リンク
２８    押え棒抱き
２８ａ  延設部
３３    押え案内
３４    規制部材
３４ａ  係止部
３６    第１リンク
３９    上飾りクランク
３９ａ  腕部
３９ｂ  軸部
３９ｃ  ピン部
４１    上飾りレバー
４３    スプレッダ
４８    クランク腕
６７    規制部材
６７ａ  係止部
６９    上飾り上げ部材
６９ａ  係合部
【図１】
0005627911.tif 000002
【図２】
0005627911.tif 000003
【図３】
0005627911.tif 000004
【図４】
0005627911.tif 000005
【図５】
0005627911.tif 000006
【図６】
0005627911.tif 000007
【図７】
0005627911.tif 000008
【図８】
0005627911.tif 000009
【図９】
0005627911.tif 000010